(57)【要約】【課題】ＲＲＵとＢＢＵとの間の伝送路に障害が発生した場合に、ＲＲＵの配下のＵＥが通信を行うための技術を提供する。【解決手段】遠隔無線装置は、第１のベースバンドユニット（ＢＢＵ）と接続するためのＢＢＵインタフェースと、他の遠隔無線装置（ＲＲＵ）と接続するＲＲＵインタフェースと、端末（ＵＥ）と接続するＵＥインタフェースと、第１のベースバンドユニットとの間の第１の回線の通信障害が生じた後に、他の遠隔無線装置を経由する、第２のベースバンドユニットとの間の第２の回線を確立するＲＲＵ制御部と、を備える。【選択図】      図１
2017168890.tif 000002
【特許請求の範囲】
【請求項１】
第１のベースバンドユニット（ＢＢＵ）と接続するためのＢＢＵインタフェースと、
他の遠隔無線装置（ＲＲＵ）と接続するＲＲＵインタフェースと、
端末（ＵＥ）と接続するＵＥインタフェースと、
前記第１のベースバンドユニットとの間の第１の回線の通信障害が生じた後に、他の遠隔無線装置を経由する、第２のベースバンドユニットとの間の第２の回線を確立するＲＲＵ制御部と、
を備える遠隔無線装置。
【請求項２】
前記第２のベースバンドユニットは前記第１のベースバンドユニットと同一のベースバンドユニットである、請求項１に記載された遠隔無線装置。
【請求項３】
前記第２のベースバンドユニットは前記第１のベースバンドユニットとは異なるベースバンドユニットである、請求項１に記載された遠隔無線装置。
【請求項４】
前記ＲＲＵインタフェースが複数の前記他の遠隔無線装置との接続が可能である場合に、前記ＲＲＵ制御部は、前記複数の前記他の遠隔無線装置から選択された前記他の少なくとも１台の遠隔無線装置を経由して前記第２の回線を確立する、請求項１乃至３のいずれかに記載された遠隔無線装置。
【請求項５】
前記ＲＲＵ制御部は、前記他の遠隔無線装置を、ネットワーク制御装置からの指示に基づいて選択する、請求項４に記載された遠隔無線装置。
【請求項６】
前記ＵＥインタフェースは、前記第２の回線の候補となる少なくとも１個の経路の情報を前記端末に通知し、前記経路の情報から選択された経路の情報を前記端末から受信し、
前記ＲＲＵ制御部は、前記他の遠隔無線装置を、前記選択された経路の情報に基づいて選択する、請求項４に記載された遠隔無線装置。
【請求項７】
ベースバンドユニットと接続するＢＢＵインタフェースと、
前記ベースバンドユニットと前記ベースバンドユニットに接続された遠隔無線装置との間の第１の回線の通信障害が生じた後に、他の遠隔無線装置を経由する第２の回線を探索する指示を送信する経路制御部と、を備えるネットワーク制御装置。
【請求項８】
前記遠隔無線装置が複数の前記他の遠隔無線装置との接続が可能である場合に、前記経路制御部は、前記第２の回線の候補となる複数の経路を算出する、請求項７に記載されたネットワーク制御装置。
【請求項９】
前記経路制御部は、前記複数の経路から少なくとも１個の経路を選択し、前記選択された経路に基づいて前記第２の回線を設定するように前記遠隔無線装置へ指示する、請求項８に記載されたネットワーク制御装置。
【請求項１０】
前記遠隔無線装置のそれぞれの過去の通信状況を記録した記録部をさらに備え、
前記経路制御部は、前記通信状況に基づいて前記経路を選択する、請求項９に記載されたネットワーク制御装置。
【請求項１１】
前記経路制御部は、前記第２の回線の候補のいずれかを経由して、前記第２の回線の候補となる複数の経路を前記遠隔無線装置に送信する、請求項８乃至１０のいずれかに記載されたネットワーク制御装置。
【請求項１２】
遠隔無線装置と接続する無線インタフェースと、
前記遠隔無線装置から、回線の候補の情報を受信し、前記情報を表示する表示部と、
前記表示部に表示された前記候補から少なくとも１個の回線を選択する選択部と、
を備え、前記無線インタフェースは、前記選択された回線の情報を前記遠隔無線装置に通知する、端末。
【請求項１３】
前記遠隔無線装置は、前記遠隔無線装置と接続されたベースバンドユニットとの間において、回線の通信障害が発生した遠隔無線装置であり、
前記選択した回線は、前記遠隔無線装置が接続する他の遠隔無線装置を経由する、請求項１２に記載の端末。
【発明の詳細な説明】
【技術分野】
【０００１】
本発明は、通信システムに関し、特に、通信システムで用いられる端末を収容する遠隔無線ユニットとベースバンドユニットとの接続を制御する技術に関する。
【背景技術】
【０００２】
ＬＴＥ（Long Term Evolution）の仕様に基づいて構築された移動通信網のアーキテクチャとして、Ｃ−ＲＡＮ（Centralized Radio Access Network）アーキテクチャが普及している。Ｃ−ＲＡＮアーキテクチャでは、複数の遠隔無線ユニットが１台のベースバンドユニットに収容される。遠隔無線ユニットはＲＲＵ（Remote Radio Unit）あるいはＲＲＨ（Remote Radio Head）とも呼ばれる。ベースバンドユニットはＢＢＵ（Base Band Unit）とも呼ばれる。ＲＲＵは伝送信号の変復調を行い、ＢＢＵと端末（ＵＥ：User Equipment）とを接続する。ＢＢＵは伝送信号のベースバンド処理を行い、移動通信網のバックボーンネットワーク（EPC：Evolved Packet Core）とＲＲＵとを接続する。ＲＲＵとＢＢＵとの間は、無線伝送あるいは有線伝送（例えば光ケーブル伝送）により接続される。
【０００３】
本発明に関連して、特許文献１には、Ｃ−ＲＡＮアーキテクチャで用いられる無線基地局装置が記載されている。また、特許文献２には、帯域幅に基づいてチャネルを切り替える技術が記載されている。
【先行技術文献】
【特許文献】
【０００４】
【特許文献１】国際公開２０１５／０４５４４４号
【特許文献２】特許第５６７７５７３号公報
【発明の概要】
【発明が解決しようとする課題】
【０００５】
一般的なＣ−ＲＡＮアーキテクチャを持つネットワークでは、ＲＲＵとＢＢＵとは１対１で直接接続されている。このため、災害によりＲＲＵとＢＢＵとの間の伝送路が不通となると、当該ＲＲＵのセルの配下にあるＵＥはＢＢＵと接続できなくなる。この場合、ＵＥは移動通信網に接続できないため、ＲＲＵが故障していなくとも、その配下にあるＵＥは通信ができなくなる。そして、特許文献１及び２は、ＲＲＵとＢＢＵとの間の伝送路に障害が発生した場合に、ＲＲＵの配下のＵＥが通信できないという課題を解決するための手段を開示していない。
【０００６】
（発明の目的）
本発明は、ＲＲＵとＢＢＵとの間の伝送路に障害が発生した場合に、ＲＲＵの配下のＵＥが通信を行うための技術を提供することを可能とする。
【課題を解決するための手段】
【０００７】
本発明の遠隔無線装置は、
第１のベースバンドユニット（ＢＢＵ）と接続するためのＢＢＵインタフェースと、
他の遠隔無線装置（ＲＲＵ）と接続するＲＲＵインタフェースと、
端末（ＵＥ）と接続するＵＥインタフェースと、
前記第１のベースバンドユニットとの間の第１の回線の通信障害が生じた後に、他の遠隔無線装置を経由する、第２のベースバンドユニットとの間の第２の回線を確立するＲＲＵ制御部と、
を備える。
【０００８】
本発明のネットワーク制御装置は、
ベースバンドユニットと接続するＢＢＵインタフェースと、
前記ベースバンドユニットと前記ベースバンドユニットに接続された遠隔無線装置との間の第１の回線の通信障害が生じた後に、他の遠隔無線装置を経由する第２の回線を探索する指示を送信する経路制御部と、を備える。
【０００９】
本発明の端末は、
遠隔無線装置と接続する無線インタフェースと、
前記遠隔無線装置から、回線の候補の情報を受信し、前記情報を表示する表示部と、
前記表示部に表示された前記候補から少なくとも１個の回線を選択する選択部と、
を備え、前記無線インタフェースは、前記選択された回線の情報を前記遠隔無線装置に通知する。
【発明の効果】
【００１０】
本発明は、ＲＲＵとＢＢＵとの間の伝送路に障害が発生した場合に、ＲＲＵの配下のＵＥが通信を行うことを可能とする。
【図面の簡単な説明】
【００１１】
【図１】第１の実施形態の通信システム１の構成例を示すブロック図である。
【図２】ＲＲＵ２１の構成例を示すブロック図である。
【図３】ＢＢＵ１１の構成例を示すブロック図である。
【図４】ＮＷ制御装置４１の構成例を示すブロック図である。
【図５】ＵＥ３１の構成例を示すブロック図である。
【図６】通信システム１の障害発生時の構成例を示す図である。
【図７】通信システム１の障害発生時の動作手順の例を示す図である。
【図８】通信システム１の障害発生時の動作手順の変形例を示す図である。
【図９】第２の実施形態の通信システム２の構成例を示す図である。
【図１０】通信システム２の障害発生時の回線の経路の例を説明する図である。
【図１１】通信システム２の障害発生時の動作手順の例を示す図である。
【図１２】通信システム２の障害発生時の動作手順の変形例を示す図である。
【図１３】第３の実施形態の通信システム３の構成例を示す図である。
【図１４】通信システム３の障害発生時の回線接続の例を示す図である。
【図１５】通信システム３の障害発生時の回線接続の例を示す図である。
【図１６】通信システム３の障害発生時の動作手順の例を示す図である。
【図１７】通信システム３の障害発生時の動作手順の変形例を示す図である。
【図１８】第４の実施形態の通信システム４の構成例を示す図である。
【図１９】通信システム４の障害発生時の回線接続の例を示す図である。
【図２０】通信システム４の障害発生時の回線接続の例を示す図である。
【図２１】通信システム４の障害発生時の動作手順の例を示す図である。
【図２２】通信システム４の障害発生時の動作手順の変形例を示す図である。
【発明を実施するための形態】
【００１２】
(第１の実施形態）
図１は、本発明の第１の実施形態の通信システム１の構成例を示すブロック図である。通信システム１は、３ＧＰＰ（3rd Generation Partnership Project）で規定された、ＬＴＥ技術に基づく移動通信システム（以下、「ＬＴＥシステム」という。）である。通信システム１は、ＢＢＵ１１及び１２、ＲＲＵ２１及び２２、ＵＥ３１、ネットワーク制御装置（以下、「ＮＷ制御装置」という。）４１を備える。ＮＷ制御装置４１は、ＥＰＣ（Evolved Packet Core）５０の内部に設置される。ＥＰＣ５０は、ＬＴＥシステムを含む各種の無線アクセスシステムを収容可能なコアネットワークである。ＥＰＣ５０は、一般的には、互いに接続された複数のサーバ及び通信装置で構成され、インターネットなどの他の通信ネットワークと相互に接続される。以降の説明及び図面において、ＬＴＥシステムが備える公知の機能及び構成は適宜省略して記載される。また、実施形態において同一の機能及び名称を備える要素名には同一の参照符号を付して、重複する説明は省略される。また、ブロック図に付された矢印は例示であり、信号の種類あるいは向きを限定しない。
【００１３】
ＵＥ３１はユーザに携帯される移動端末であり、例えば、携帯電話、スマートホン、ＬＴＥシステムにアクセス可能なインタフェースを備えたＰＣ（Personal Computer）であるが、これらには限定されない。ＲＲＵ２１及びＲＲＵ２２は、ＬＴＥシステムで用いられる遠隔無線ユニット（ＲＲＵ）である。ＢＢＵ１１及びＢＢＵ１２は、ＬＴＥシステムで用いられるベースバンドユニットである。ＲＲＵ２１はＢＢＵ１１と光ケーブルで接続され、ＲＲＵ２２はＢＢＵ１２と光ケーブルで接続される。図１ではＢＢＵ及びＲＲＵをそれぞれ２台、ＵＥを１台記載している。しかし、これらは例であり、各部の数は通信システム１の仕様で規定される台数まで許容される。
【００１４】
ＵＥ３１はＲＲＵ２１の配下にある。図１に示すように、正常時には、ＵＥ３１は、ＲＲＵ２１及びＢＢＵ１１を経由してＮＷ制御装置４１と接続される。その結果、ＵＥ３１は、ＥＰＣ５０と接続されたネットワークの端末あるいはコンピュータと通信できる。
【００１５】
ＲＲＵ２１とＢＢＵ１１との間の通信が切断されると、ＲＲＵ２１はＢＢＵ１１と通信できなくなる。その結果、そのままではＵＥ３１はＥＰＣ５０との通信を継続できない。ＲＲＵ２１とＢＢＵ１１との間の通信が切断される状況としては、ＢＢＵの故障、ＲＲＵとＢＢＵとの間の光ファイバ伝送路の物理的な切断、ＲＲＵとＢＢＵとの間の通信の輻輳に起因する回線の論理的な切断（例えばパケットの廃棄）、などがある。以下の各実施形態では、ＲＲＵ２１とＢＢＵ１１との間の通信が切断された場合にＵＥ３１の通信を継続するために、通信システム１が備える構成及び機能について説明する。しかし、以下の実施形態の説明は他のＲＲＵとＢＢＵとの間の障害についても同様に適用できる。
【００１６】
（ＲＲＵの構成）
ＲＲＵの構成について、図１の通信システム１で用いられるＲＲＵ２１を例に説明する。図２は、ＲＲＵ２１の構成例を示すブロック図である。ＲＲＵ２１は、ＲＲＵインタフェース２０１と、ＢＢＵインタフェース２１１と、ＵＥインタフェース２２１と、ＲＲＵ制御部２３１と、を備える。
【００１７】
ＲＲＵインタフェース２０１は、ＲＲＵ２１と他のＲＲＵとを接続するためのインタフェース回路である。ＲＲＵインタフェース２０１の伝送方式及びプロトコルは特に限定されない。ＲＲＵインタフェースは、伝送プロトコルとして、ＣＰＲＩ（Common Public Radio Interface）を用いてもよい。ＲＲＵインタフェース２０１は、ＵＥ３１をＲＲＵ２１及び他のＲＲＵを経由してＥＰＣ５０に接続する際に用いられる。
【００１８】
ＢＢＵインタフェース２１１は、ＲＲＵ２１と、ＢＢＵ１１あるいは他のＢＢＵとを接続するためのインタフェース回路である。ＢＢＵインタフェース２１１によるＲＲＵとＢＢＵとの接続には、光ファイバを含む有線通信あるいは無線通信が用いられる。ＲＲＵ２２及び他のＲＲＵも、ＲＲＵ２１と同様の構成を備える。
【００１９】
ＵＥインタフェース２２１は、ＵＥ３１を含む１つ以上のＵＥとＲＲＵ２１とを接続するための無線インタフェース回路である。
【００２０】
ＲＲＵ制御部２３１は、ＲＲＵ２１全体を制御する制御回路である。ＲＲＵ制御部２３１は、ＣＰＵ（Central Processing Unit）及び記録装置を備えてもよい。記録装置は、例えば半導体メモリである。ＣＰＵは、メモリに記録されたプログラムを実行することにより、ＲＲＵ制御部２３１の機能を実現してもよい。ＲＲＵ２１の各部の動作は、ＲＲＵ制御部２３１が備えるＣＰＵ及び記録装置、ＲＲＵインタフェース２０１、ＢＢＵインタフェース２１１並びにＵＥインタフェース２２１が互いに協調して動作することで実現されてもよい。
【００２１】
ＲＲＵ制御部２３１は、ＲＲＵ２１とＢＢＵ１１との間の通信障害が生じた後に、障害区間を迂回する回線を確立するように動作する。すなわち、ＲＲＵ２１は、第１のＢＢＵ（ＢＢＵ１１）との間の第１の回線の通信障害が生じた後に、他のＲＲＵ（ＲＲＵ２２）を経由して、第２のＢＢＵ（ＢＢＵ１２）との間の第２の回線を確立する。
【００２２】
（ＢＢＵの構成）
ＢＢＵの構成について、図１の通信システム１で用いられるＢＢＵ１１を例に説明する。図３は、ＢＢＵ１１の構成例を示すブロック図である。ＢＢＵ１１は、ＲＲＵインタフェース１０１と、ＮＷインタフェース１１１と、ＢＢＵ制御部１２１を備える。ＲＲＵインタフェース１０１は、ＲＲＵ２１が備えるＢＢＵインタフェース２１１と対向するインタフェース回路である。ＮＷインタフェース１１１は、ＮＷ制御装置４１が備えるＢＢＵインタフェース４０１と対向するインタフェース回路である。ＲＲＵインタフェース１０１は、ＵＥ３０とＥＰＣ５０との間で送受信される信号を、ＢＢＵ１１とＲＲＵ２１との間のインタフェース（例えばＣＰＲＩ）に適合するように変換する。
【００２３】
ＢＢＵ制御部１２１は、ＢＢＵ１１全体を制御する制御回路である。ＢＢＵ制御部１２１は、ＣＰＵ及び記録装置を備えてもよい。記録装置は、例えば半導体メモリである。ＣＰＵは、メモリに記録されたプログラムを実行することにより、ＢＢＵ制御部１３１の機能を実現してもよい。ＢＢＵ１１の各部の動作は、ＢＢＵ制御部１２１が備えるＣＰＵ及び記録装置、ＲＲＵインタフェース１０１、ＮＷインタフェース１１１が互いに協調して動作することで実現されてもよい。
【００２４】
（ＮＷ制御装置の構成）
図１の通信システム１で用いられるＮＷ制御装置４１の構成について説明する。図４は、ＮＷ制御装置４１の構成例を示すブロック図である。ＮＷ制御装置４１は、ＢＢＵインタフェース４０１と、ＣＮインタフェース４１１と、経路制御部４２１とを備える。ＢＢＵインタフェース４０１は、対向するＢＢＵが備えるＮＷインタフェース１１１とＮＷ制御装置４１とを接続するインタフェース回路である。ＣＮインタフェース４１１は、ＮＷ制御装置４１の、コアネットワーク（Core Network）側のインタフェース回路である。経路制御部４２１は、ＵＥ３１の通信回線の経路の設定を行う。経路制御部４２１は、接続されたＲＲＵの配下にあるＵＥの回線の経路を設定し、設定された経路情報をＵＥごとに記録する。経路制御部４２１は、ＢＢＵ１１とＲＲＵ２１との間の回線の障害を検出すると、他のＲＲＵを経由する回線を新たに確立する指示を、ＢＢＵインタフェース４０１から、接続された１つ以上のＢＢＵを経由して、通信システム１内のＲＲＵに送信する。
【００２５】
経路制御部４２１は、ＣＰＵ及び記録装置を備えてもよい。記録装置は、例えば半導体メモリである。ＣＰＵは、メモリに記録されたプログラムを実行することにより、経路制御部４２１全体の機能を実現してもよい。ＮＷ制御装置４１の各部の動作は、経路制御部４２１が備えるＣＰＵ及び記録装置、ＢＢＵインタフェース４０１、ＣＮインタフェース４１１が互いに協調して動作することで実現されてもよい。
【００２６】
（ＵＥの構成）
ＵＥ３１の構成について、説明する。図５は、ＵＥ３１の構成例を示すブロック図である。ＵＥ３１は、無線インタフェース３０１と、表示部３１１と、選択部３２１と、を備える移動端末である。無線インタフェース３０１は、ＵＥ３１とＲＲＵ（図１ではＲＲＵ２１）とを接続するための無線インタフェース回路であり、例えばＲＲＵ２１が備えるＵＥインタフェース２２１と接続される。
【００２７】
表示部３１１は、一般的な移動端末が備える表示機能を備える。さらに、表示部３１１は、少なくとも１個の回線の候補の情報が接続中のＲＲＵから通知された場合に、当該回線の候補を表示できる。選択部３２１は、例えばユーザの操作により、表示部３１１に表示された回線の候補から少なくとも１個の回線を選択できる。無線インタフェース３０１は、選択された回線の情報を、接続中のＲＲＵ（図１ではＲＲＵ２１）に通知する。表示部３１１として液晶ディスプレイを用い、表示部３１１が備える液晶ディスプレイ上に形成されたタッチパネルセンサを選択部３２１として用いることができる。このような構成では、ユーザは、液晶ディスプレイ上に表示された回線の候補を、タッチパネルセンサを用いて指でタップすることで、回線を選択できる。
【００２８】
選択部３２１は、さらに、ＣＰＵ及び記録装置を備えてもよい。記録装置は、例えば半導体メモリである。ＵＥ３１の各部の動作は、選択部３２１が備えるＣＰＵ及び記録装置、表示部３１１、無線インタフェース３０１が互いに協調して動作することで実現されてもよい。
【００２９】
（第１の実施形態の動作）
図６は、通信システム１の障害発生時の構成例を示す図である。図６において、ＲＲＵ２２は、ＢＢＵ１２の配下にある。図６は、ＢＢＵ１１とＲＲＵ２１との間の通信に障害が発生した場合に、ＵＥ３１とＥＰＣ５０との間の回線がＲＲＵ２１、ＲＲＵ２２及びＢＢＵ１２を経由するように変更されることを示す。図７は、通信システム１の障害発生時の動作手順の例を示す図である。図６及び図７を参照して、通信システム１の障害発生時の動作手順を説明する。
【００３０】
初期状態では、ＵＥ３１は、ＲＲＵ２１及びＢＢＵ１１を経由してＥＰＣ５０と接続される（図７のＳ０１）。ＥＰＣ５０には、ＮＷ制御装置４１が含まれる。ＢＢＵ１１とＲＲＵ２１との間の伝送路に障害が発生して、ＢＢＵ１１がＲＲＵ２１との間の通信異常を検出すると（Ｓ０２）、ＢＢＵ１１は、ＮＷ制御装置４１に障害発生を通知する（Ｓ０３）。なお、ＢＢＵ１１の障害により、ＢＢＵ１１がＥＰＣ５０に障害の発生を通知できないことも起こりうる。このような場合に備えて、ＵＥ３１又はＲＲＵ２２から障害発生を通知されたＢＢＵ１２が異常を検出し、ＢＢＵ１２がＥＰＣ５０へ障害の発生を通知してもよい。
【００３１】
ＮＷ制御装置４１は、ＢＢＵ１２に、ＲＲＵ２１の探索指示を送信する（Ｓ０４）。ＮＷ制御装置４１は、ＢＢＵ１２以外のＢＢＵすべてに、ＲＲＵ２１の探索指示をブロードキャストしてもよい。ＢＢＵ１２は、受信した探索指示を配下のＲＲＵ２２に転送する（Ｓ０５）。ＲＲＵ２２は、探索指示を受信すると、ＲＲＵ２１との通信を試みる（Ｓ０６）。ここで、ＲＲＵ２２は、図２で説明したＲＲＵインタフェース２０１を用いて、ＲＲＵ２１のＲＲＵインタフェース２０１との通信を試みる。
【００３２】
ＲＲＵ２１とＲＲＵ２２との通信が可能である場合には、ＲＲＵ２１は、ＲＲＵ２２へ通信可能である旨を返信する（Ｓ０７）。ＲＲＵ２１から通信可能である通知を受信すると、ＲＲＵ２２は、ＢＢＵ１２を経由してＮＷ制御装置４１に、ＲＲＵ２１とＲＲＵ２２とが通信可能である旨を通知する（Ｓ０８）。
【００３３】
ＮＷ制御装置４１は、当該通知をＲＲＵ２２から受信すると、ＵＥ３１とＥＰＣ５０との間の回線を、ＲＲＵ２１、ＲＲＵ２２及びＢＢＵ１２を経由するように設定する（Ｓ０９）。このとき、ＲＲＵ２１におけるＲＲＵ制御部２３１は、ＮＷ制御装置４１が設定した回線を確立するように、動作する。その結果、ＵＥ３１は、ＢＢＵ１１とＲＲＵ２１との間の障害区間を迂回して、ＥＰＣ５０と通信することができる（Ｓ１０）。
【００３４】
以上説明したように、第１の実施形態の通信システム１は、ＲＲＵ２１とＢＢＵ１１との間の伝送路に障害が発生した場合に、ＲＲＵ２１、ＲＲＵ２２及びＢＢＵ１２を経由するように、ＵＥ３１とＥＰＣ５０との間の回線が設定される。その結果、ＵＥ３１は、障害区間を迂回してＥＰＣ５０と通信を行うことができる。また、第１の実施形態では、ＢＢＵ１１に障害が発生した場合、及び、ＢＢＵ１１とＥＰＣ５０との間の伝送路に障害が発生した場合でも、ＵＥ３１は、ＢＢＵ１１を迂回してＥＰＣ５０と通信を行うことができる。
【００３５】
（第１の実施形態の動作の変形例）
図８は、通信システム１の障害発生時の動作手順の変形例を示す図である。図６及び図８を参照して、通信システム１の障害発生時の動作手順の変形例を説明する。本変形例では、ＲＲＵ２１が、ＲＲＵ２２を探索する。
【００３６】
初期状態では、ＵＥ３１は、図７と同様に、ＲＲＵ２１及びＢＢＵ１１を経由してＥＰＣ５０と接続される（図８のＳ１１）。ＢＢＵ１１とＲＲＵ２１との間の伝送路に障害が発生して、ＲＲＵ２１がＢＢＵ１１との間の通信異常を検出すると（Ｓ１２）、ＲＲＵ２１は、探索信号を配下のＲＲＵ２２に転送する（Ｓ１３）。ＲＲＵ２１が送信する探索信号は、送信元のＲＲＵ２１と通信可能なＲＲＵを探索する信号であり、探索信号の受信者がＲＲＵ２１に返信するための情報を含む。ＲＲＵ２１は、探索信号をブロードキャストしてもよい。ＲＲＵ２２は、ＲＲＵ２１から探索信号を受信すると、ＲＲＵ２１との通信を試みる（Ｓ１４）。ＲＲＵ２２から、探索信号に対する返信を受信したＲＲＵ２１は、ＲＲＵ２２と通信可能である旨をＲＲＵ２２へ返信する（Ｓ１５）。ここで、ＲＲＵ２１及びＲＲＵ２２は、図２で説明したＲＲＵインタフェース２０１を用いて、対向するＲＲＵのＲＲＵインタフェース２０１との通信を試みる。なお、ＲＲＵ２１から受信した探索信号の品質が充分に高い場合は、ＲＲＵ２２は、探索信号を受信した時点でＲＲＵ２１と通信可能であると判断し、Ｓ１４の送信手順及びＳ１５の受信手順を省略してもよい。
【００３７】
以降のＳ１６〜Ｓ１８の手順は、図７のＳ０８〜Ｓ１０と同様である。すなわち、図８の手順によっても、ＵＥ３１は、ＢＢＵ１１とＲＲＵ２１との間の障害区間を迂回して、ＥＰＣ５０と通信することができる。
【００３８】
以上説明したように、第１の実施形態の通信システム１は、ＲＲＵ２１とＢＢＵ１１との間の伝送路に障害が発生した場合に、図７又は図８の手順により、ＲＲＵ２１、ＲＲＵ２２及びＢＢＵ１２を経由するように回線が設定される。その結果、ＵＥ３１は、障害区間を迂回してＥＰＣ５０と通信を行うことができる。また、第１の実施形態では、ＢＢＵ１１に障害が発生した場合、及び、ＢＢＵ１１とＥＰＣ５０との間の伝送路に障害が発生した場合でも、ＵＥ３１は、ＢＢＵ１１を迂回してＥＰＣ５０と通信を行うことができる。さらに、図８の手順では、障害発生を検出したＲＲＵ２１が他のＲＲＵ（ＲＲＵ２２）を検出するので、図７の手順と比較してより迅速に回線経路を設定できる。
【００３９】
なお、図８のＳ１３において、ＲＲＵ２１は、ＢＢＵ１１以外の他のＢＢＵ（例えば図６においてＢＢＵ１２）を探索してもよい。この場合、ＲＲＵ２１のＢＢＵインタフェース２１１が、無線通信により他のＢＢＵを探索してもよい。ＲＲＵ２１は、ＲＲＵ２１とＢＢＵ１２とが直接接続可能である旨をＢＢＵ１２経由でＮＷ制御装置４１に通知する。この場合、ＮＷ制御装置４１は、ＵＥ３１、ＲＲＵ２１、ＢＢＵ１２及びＥＰＣ５０を経由する回線を設定できる。
【００４０】
なお、図２に記載されたＲＲＵ２１は、以下の遠隔無線装置としても記載できる。すなわち、遠隔無線装置（図１のＲＲＵ２１）は、ＢＢＵインタフェース２１１と、ＲＲＵインタフェース２０１と、ＵＥインタフェース２２１と、ＲＲＵ制御部２３１と、を備える。ＢＢＵインタフェース２１１は、第１のベースバンドユニット（ＢＢＵ１１）及び第２のベースバンドユニット（ＢＢＵ１１又はＢＢＵ１２）の一方を遠隔無線装置（ＲＲＵ２１）と接続する。ＲＲＵインタフェース２０１は、他の遠隔無線装置（例えばＲＲＵ２２）と遠隔無線装置（ＲＲＵ２１）とを接続する。ＵＥインタフェース２２１は、端末（ＵＥ３１）と遠隔無線装置（ＲＲＵ２１）とを接続する。ＲＲＵ制御部２３１は、第１のベースバンドユニット（ＢＢＵ１１）との間の第１の回線の通信障害を検出すると、他の遠隔無線装置（例えばＲＲＵ２２）を経由して、第２のベースバンドユニット（ＢＢＵ１１又はＢＢＵ１２）との間の第２の回線を探索する。
【００４１】
このような構成を備える遠隔無線装置は、第１の回線の通信障害を検出すると、他の遠隔無線装置を経由する第２の回線を探索することで、ＲＲＵとＢＢＵとの間の伝送路に障害が発生した場合に、ＲＲＵの配下のＵＥが通信を行うことを可能とする。
【００４２】
図４に記載されたＮＷ制御装置４１は、以下のようにも記載できる。すなわち、ＮＷ制御装置４１は、ＢＢＵインタフェース４０１と、ＣＮインタフェース４１１と、経路制御部４２１と、を備える。ＢＢＵインタフェース４０１は、ＮＷ制御装置４１とベースバンドユニットとを接続する。ＣＮインタフェース４１１は、ＮＷ制御装置４１とコアネットワークとを接続する。経路制御部４２１は、ＢＢＵインタフェース４０１から、ベースバンドユニット（ＢＢＵ１１）とベースバンドユニット（ＢＢＵ１１）に接続された遠隔無線装置（ＲＲＵ２１）との間の第１の回線の通信障害を検出する。そして、通信障害を検出すると、他の遠隔無線装置（例えばＲＲＵ２２）を経由する第２の回線を探索する指示を、遠隔無線装置（ＲＲＵ２１）に送信する。
【００４３】
このような構成を備えるＮＷ制御装置は、第１の回線の通信障害を検出すると、ＲＲＵに、他の遠隔無線装置を経由する第２の回線を探索させることで、ＲＲＵとＢＢＵとの間の伝送路に障害が発生した場合に、ＲＲＵの配下のＵＥが通信を行うことを可能とする。
【００４４】
（第２の実施形態）
第２の実施形態について図９乃至図１２を参照して説明する。図９は、本発明の第２の実施形態の通信システム２の構成例を示す図である。図１０は、通信システム２の障害発生時の回線の経路の例を説明する図である。図１１及び図１２は、通信システム２の障害発生時の動作手順の例及びその変形例をそれぞれ示す図である。第２の実施形態では、ＲＲＵ２１及びＲＲＵ２３がＢＢＵ１１と接続されており、ＲＲＵ２２はＢＢＵ１２と接続されている。
【００４５】
初期状態では、ＵＥ３１は、第１の実施形態と同様に、ＲＲＵ２１及びＢＢＵ１１を経由してＥＰＣ５０と接続される（図１１のＳ２１）。ＥＰＣ５０は、ＮＷ制御装置４１を含む。ＢＢＵ１１とＲＲＵ２１との間の伝送路に障害が発生して、ＢＢＵ１１がＲＲＵ２１との間の通信異常を検出すると（Ｓ２２）、ＢＢＵ１１は、ＮＷ制御装置４１に障害発生を通知する（Ｓ２３）。
【００４６】
ＮＷ制御装置４１は、ＢＢＵ１１に、ＲＲＵ２１の探索指示を送信する（Ｓ２４）。ＮＷ制御装置４１は、ＢＢＵ１１に限らず、ＢＢＵすべてに、ＲＲＵ２１の探索指示をブロードキャストしてもよい。ＢＢＵ１１は、受信した探索指示をＲＲＵ２３に転送する（Ｓ２５）。ＢＢＵ１１は、受信した探索指示を配下のすべてのＲＲＵにブロードキャストしてもよい。ＲＲＵ２３は、探索指示を受信すると、ＲＲＵ２１との通信を試みる（Ｓ２６）。ここで、ＲＲＵ２３は、図２で説明したＲＲＵインタフェース２０１を用いて、ＲＲＵ２１のＲＲＵインタフェース２０１との通信を試みる。
【００４７】
ＲＲＵ２１とＲＲＵ２３との通信が可能である場合には、ＲＲＵ２１は、ＲＲＵ２３へ通信可能である旨を返信する（Ｓ２７）。ＲＲＵ２３がＲＲＵ２１から通信可能である通知を受信すると、ＲＲＵ２３は、ＢＢＵ１１を経由して、ＮＷ制御装置４１に、ＲＲＵ２１とＲＲＵ２３とが通信可能である旨を通知する（Ｓ２８〜Ｓ２９）。一方、ＲＲＵ２３は、ＲＲＵ２１からの応答（Ｓ２７）のタイムアウトにより、ＲＲＵ２１との通信が不可能であると判断してもよい。
【００４８】
ＮＷ制御装置４１は、ＲＲＵ２１とＲＲＵ２３とが通信可能である旨の通知をＢＢＵ１１から受信すると、ＵＥ３１とＥＰＣ５０との間の回線を、ＲＲＵ２１、ＲＲＵ２３及びＢＢＵ１１を経由するように設定する（Ｓ３０）。このとき、ＲＲＵ２１におけるＲＲＵ制御部２３１は、ＮＷ制御装置４１が設定した回線を確立するように、動作する。その結果、ＵＥ３１は、ＢＢＵ１１とＲＲＵ２１との間の障害区間を迂回して、ＥＰＣ５０と通信することができる（Ｓ３１）。
【００４９】
（第２の実施形態の動作の変形例）
図１２は、通信システム２の障害発生時の動作手順の変形例を示す図である。図１０及び図１２を参照して、通信システム２の障害発生時の動作手順の変形例を説明する。本変形例では、ＲＲＵ２１が、ＲＲＵ２３を探索する。
【００５０】
初期状態では、ＵＥ３１は、図１１と同様に、ＲＲＵ２１及びＢＢＵ１１を経由してＥＰＣ５０と接続される（図１２のＳ４１）。ＢＢＵ１１とＲＲＵ２１との間の伝送路に障害が発生して、ＢＢＵ１１がＲＲＵ２１との間の通信異常を検出すると（Ｓ４２）、ＲＲＵ２１は、探索信号を配下のＲＲＵ２３に転送する（Ｓ４３）。ＲＲＵ２１が送信する探索信号は、送信元のＲＲＵ２１と通信可能なＲＲＵを探索する信号であり、探索信号の受信者が送信元に返信するための情報を含む。ＲＲＵ２１は、探索信号をブロードキャストしてもよい。ＲＲＵ２３は、ＲＲＵ２１から探索信号を受信すると、ＲＲＵ２１との通信を試みる（Ｓ４４）。探索信号に対する返信をＲＲＵ２３から受信したＲＲＵ２１は、ＲＲＵ２３と通信可能である旨をＲＲＵ２３へ返信する（Ｓ４５）。ここで、ＲＲＵ２１及びＲＲＵ２３は、図２で説明したＲＲＵインタフェース２０１を用いて、対向するＲＲＵのＲＲＵインタフェース２０１との通信を試みる。なお、Ｓ４３においてＲＲＵ２１から受信した探索信号の品質が充分に高い場合は、ＲＲＵ２３は、探索信号を受信した時点でＲＲＵ２１と通信可能であると判断し、Ｓ４４の送信手順及びＳ４５の受信手順を省略してもよい。
【００５１】
以降のＳ４６〜Ｓ４９の手順は、図１１のＳ２８〜Ｓ３１と同様である。すなわち、図１２の手順によっても、ＵＥ３１は、ＢＢＵ１１とＲＲＵ２１との間の障害区間を迂回して、ＥＰＣ５０と通信することができる。
【００５２】
以上説明したように、第２の実施形態の通信システム２においては、ＲＲＵ２１とＢＢＵ１１との間の伝送路に障害が発生した場合に、図１１又は図１２の手順により、ＲＲＵ２１、ＲＲＵ２３及びＢＢＵ１１を経由するように回線が設定される。その結果、ＵＥ３１は、障害区間を迂回してＥＰＣ５０と通信を行うことができる。また、図１２の手順では、障害発生を検出したＲＲＵ２１が他のＲＲＵ（ＲＲＵ２３）を検出するので、図１１の手順と比較してより迅速に回線経路を設定できる。
【００５３】
なお、図１２のＳ４３において、ＲＲＵ２１は、ＢＢＵ１１以外の他のＢＢＵ（例えば図１０においてＢＢＵ１２）を探索してもよい。この場合、ＲＲＵ２１のＢＢＵインタフェース２１１は、無線通信により他のＢＢＵを探索してもよい。ＲＲＵ２１は、ＲＲＵ２１とＢＢＵ１２とが直接接続可能である旨をＢＢＵ１２経由でＮＷ制御装置４１に通知する。その結果、ＮＷ制御装置４１は、ＵＥ３１、ＲＲＵ２１、ＢＢＵ１２及びＥＰＣ５０を経由する回線を設定できる。
【００５４】
（第３の実施形態）
第３の実施形態について図１３乃至図１７を参照して説明する。図１３は、本発明の第３の実施形態の通信システム３の構成例を示す図である。図１４及び図１５は、通信システム３の障害発生時の回線接続の例を示す図である。図１６及び図１７は、通信システム３の障害発生時の動作手順の例及びその変形例をそれぞれ示す図である。
【００５５】
第３の実施形態では、第２の実施形態と同様に、ＲＲＵ２１及びＲＲＵ２３がＢＢＵ１１の配下にあり、ＲＲＵ２２がＢＢＵ１２の配下にある。図１４は、ＢＢＵ１１とＲＲＵ２１との間の伝送路に障害が発生した場合に、ＵＥ３１の回線がＲＲＵ２１、ＲＲＵ２２及びＢＢＵ１２を経由するように変更されることを示す。図１５は、ＵＥ３１の回線がＲＲＵ２１、ＲＲＵ２２及びＢＢＵ１２を経由するように変更された回線が、ＲＲＵ２１、ＲＲＵ２３及びＢＢＵ１１を経由するように再変更されることを示す。以下に、このような回線の経路の変更手順について説明する。
【００５６】
初期状態では、ＵＥ３１は、ＲＲＵ２１及びＢＢＵ１１を経由してＥＰＣ５０と接続される（図１６のＳ５１）。ＥＰＣ５０は、ＮＷ制御装置４１を含む。ＢＢＵ１１とＲＲＵ２１との間の伝送路に障害が発生して、ＢＢＵ１１がＲＲＵ２１との通信異常を検出すると（Ｓ５２）、ＢＢＵ１１は、ＮＷ制御装置４１に障害発生を通知する（Ｓ５３）。
【００５７】
ＮＷ制御装置４１は、ＢＢＵ１１及びＢＢＵ１２に、ＲＲＵ２１の探索指示を送信する（Ｓ５４、Ｓ５６）。ＮＷ制御装置４１は、ＮＷ制御装置４１に接続された複数のＢＢＵに、ＲＲＵ２１の探索指示をブロードキャストあるいはマルチキャストしてもよい。探索指示を受信したＢＢＵ１１及び１２は、当該探索指示をそれぞれ、ＲＲＵ２３及びＲＲＵ２２に転送する（Ｓ５５、Ｓ５７）。
【００５８】
ＲＲＵ２２は、Ｓ５５で探索指示を受信すると、ＲＲＵ２２が備えるＲＲＵインタフェースを用いて、ＲＲＵ２１のＲＲＵインタフェース２０１との通信を試みる（Ｓ５８）。
【００５９】
ＲＲＵ２１とＲＲＵ２２との通信が可能である場合には、ＲＲＵ２１は、ＲＲＵ２２へ通信可能である旨を返信する（Ｓ５９）。ＲＲＵ２１から通信可能である通知を受信すると、ＲＲＵ２２は、ＢＢＵ１２を経由してＮＷ制御装置４１に、ＲＲＵ２１とＲＲＵ２２とが通信可能である旨を通知する（Ｓ６０）。
【００６０】
一方、ＲＲＵ２３は、Ｓ５７で探索指示を受信すると、ＲＲＵ２３が備えるＲＲＵインタフェースを用いて、ＲＲＵ２１との通信を試みる（Ｓ６１）。
【００６１】
ＲＲＵ２１とＲＲＵ２３との通信が可能である場合には、ＲＲＵ２１は、ＲＲＵ２３へ通信可能である旨を返信する（Ｓ６２）。ＲＲＵ２１から通信可能である通知を受信すると、ＲＲＵ２３は、ＢＢＵ１１を経由してＮＷ制御装置４１に、ＲＲＵ２１とＲＲＵ２３とが通信可能である旨を通知する（Ｓ６３）。
【００６２】
以上の手順では、ＮＷ制御装置４１は、ＲＲＵ２２及びＲＲＵ２３の双方から、ＲＲＵ２１との通信が可能である旨の通知を受信する。従って、ＮＷ制御装置４１は、ＲＲＵ２２及び２３のいずれを経由してもＲＲＵ２１と接続できることを知る。ＮＷ制御装置４１は、ＲＲＵ２１と通信可能とされたＲＲＵ（Ｓ６０で通知されたＲＲＵ２２及びＳ６３で通知されたＲＲＵ２３）と当該ＲＲＵを用いた場合のＵＥ３１の回線の経路とを対応付けたリストを作成して保持する。
【００６３】
ＮＷ制御装置４１は、ＲＲＵ２２及びＲＲＵ２３の現在あるいは過去の通信状況や負荷、もしくは将来予想される負荷に基づいて、ＲＲＵ２１と接続される回線で用いられるＲＲＵを選択してもよい。負荷は、例えば、無線リソースの割り当て能力や消費電力であるが、これらには限定されない。ＮＷ制御装置４１は、それぞれのＲＲＵの過去の通信状況や負荷のデータを記録するために、半導体メモリあるいは磁気ディスク装置などで構成された記録部をさらに備えてもよい。すなわち、ＮＷ制御装置４１の経路制御部４２１は、通信状況に基づいて回線の経路を選択してもよく、ＲＲＵ２２及びＲＲＵ２３のうち、負荷のより低いＲＲＵを選択してもよい。
【００６４】
本実施形態では、Ｓ６３の後、ＮＷ制御装置４１がＲＲＵ２２を選択して、Ｓ６４において回線を設定する。ＮＷ制御装置４１は、ＵＥ３１とＥＰＣ５０との間の回線を、ＲＲＵ２１、選択されたＲＲＵ２２及びＢＢＵ１２を経由するように設定する（Ｓ６４）。その結果、ＵＥ３１は、ＢＢＵ１１とＲＲＵ２１との間の障害区間を迂回して、ＥＰＣ５０と通信することができる（Ｓ６５）。図１４は、Ｓ６８までの手順によって再設定された通信システム３の接続状態を示す。
【００６５】
ここで、Ｓ６５の後、ＵＥ３１が、他の経路の回線への切替を要求する場合について以下に説明する。ＵＥ３１は、表示部３１１及び選択部３２１を用いて回線切替要求が可能であることを示すボタンを表示する。ＵＥ３１のユーザがボタンを操作して回線切替要求の実行をＵＥ３１に指示すると、ＵＥ３１は、回線切替要求をＮＷ制御装置４１に送信する（Ｓ６６）。ＮＷ制御装置４１は、回線切替要求を受信すると、ＵＥ３１の回線の経路を、ＲＲＵ２１、ＲＲＵ２３及びＢＢＵ１１を経由するように切り替える（Ｓ６７）。このとき、ＲＲＵ２１におけるＲＲＵ制御部２３１は、ＮＷ制御装置４１が切り替えた先の経路を通る回線を確立するように、動作する。その結果、回線切替後も、ＵＥ３１は、ＢＢＵ１１とＲＲＵ２１との間の障害区間を迂回して、ＥＰＣ５０と通信することができる（Ｓ６８）。図１５は、Ｓ６７までの手順によって再設定された通信システム３の接続状態を示す。
【００６６】
例えば、図１６のＳ６４においてＲＲＵ２２及びＢＢＵ１２を経由する回線が設定されたことを契機に、ＵＥ３１は、液晶ディスプレイに「回線切替」ボタンを表示する。切替可能な回線の情報は、ＮＷ制御装置４１がＳ６４で送信するメッセージに含まれる。ＵＥ３１の表示部３１１は当該情報に基づいて「回線切替」ボタンを表示し、選択部３２１は当該情報に基づいて選択された回線の情報を検知する。具体的には、ＵＥ３１は、タッチパネルセンサと一体で形成された液晶ディスプレイを備える。液晶ディスプレイは「回線切替」ボタンを表示し、タッチパネルセンサは、ユーザが「回線切替」ボタンを押したことを検出する。Ｓ６６において、タッチパネルセンサが「回線切替」ボタンが押されたことを検知すると、ＵＥ３１は、回線切替要求をＮＷ制御装置４１に送信する。ＮＷ制御装置４１は、回線切替要求を受信する度に、回線を設定可能でありかつ現在使用されていないＲＲＵを経由するように、回線設定を再変更する。
【００６７】
上述したＵＥ３１による回線切替要求の手順は一例である。ＵＥ３１は、液晶ディスプレイに複数の経路情報を表示して、ユーザにボタンでいずれかの経路を選択させてもよい。ＲＲＵ２１は、ＵＥ３１において表示される回線の候補となる少なくとも１個の経路の情報をＵＥインタフェース２２１からＵＥ３１に通知し、ＵＥ３１において選択された経路の情報を、ＵＥインタフェース２２１によってＵＥ３１から受信できる。複数の経路情報は、回線設定時に、ＮＷ制御装置４１から通知されてもよい。ＵＥインタフェース２２１は、ＵＥ３１において表示される回線の候補となる少なくとも１個の経路の情報をＵＥ３１に通知してもよい。また、ＵＥ３１の選択部３２１は、通知された複数の回線から最適な経路を選択して、液晶ディスプレイ（表示部３１１）に表示させてもよい。ＵＥ３１が最適な経路を選択する機能を備えることで、ユーザの回線選択の負担が減少する。
【００６８】
さらに、ＵＥ３１に通知される情報が、最適な経路が変化したことを示す場合には、ＵＥ３１は、ユーザに最適経路への変更を促すメッセージを液晶ディスプレイに表示してもよく、あるいはユーザの操作を経ることなく自動的に新しい最適経路に変更してもよい。液晶ディスプレイに表示される内容は、音声としてユーザに通知されてもよく、ユーザは、回線切替要求に関する指示を、ＵＥ３１への音声入力によって行ってもよい。
【００６９】
（第３の実施形態の動作の変形例）
図１７は、通信システム３の障害発生時の動作手順の変形例を示す図である。図１３−１５及び図１７を参照して、通信システム３の障害発生時の動作手順の変形例を説明する。本変形例では、ＲＲＵ２１が、ＲＲＵ２２及びＲＲＵ２３を探索する。
【００７０】
初期状態では、ＵＥ３１は、図１６と同様に、ＲＲＵ２１及びＢＢＵ１１を経由してＥＰＣ５０と接続される（図１７のＳ７１）。ＢＢＵ１１とＲＲＵ２１との間の伝送路に障害が発生して、ＢＢＵ１１がＲＲＵ２１との間の通信異常を検出すると（Ｓ７２）、ＲＲＵ２１は、探索信号をＲＲＵ２２及びＲＲＵ２３に転送する（Ｓ７３、Ｓ７４）。ＲＲＵ２１が送信する探索信号は、送信元のＲＲＵ２１と通信可能なＲＲＵを探索する信号であり、探索信号を受信したＲＲＵがＲＲＵ２１に返信するための情報を含む。ＲＲＵ２１は、探索信号をブロードキャストしてもよい。ＲＲＵ２２及びＲＲＵ２３は、ＲＲＵ２１から探索信号を受信すると、ＲＲＵ２１との通信を試みる（Ｓ７５、Ｓ７８）。ＲＲＵ２２及びＲＲＵ２３から、探索信号に対する返信を受信したＲＲＵ２１は、ＲＲＵ２２及びＲＲＵ２３と通信可能である旨をそれぞれへ返信する（Ｓ７６、Ｓ７９）。ここで、ＲＲＵ２１〜ＲＲＵ２３は、図２で説明したＲＲＵインタフェース２０１を用いて、対向するＲＲＵのＲＲＵインタフェース２０１との通信を試みる。なお、ＲＲＵ２１から受信した探索信号の品質が充分に高い場合は、ＲＲＵ２２及びＲＲＵ２３は、Ｓ７３又はＳ７４の時点でＲＲＵ２１と通信可能であると判断し、Ｓ７５、Ｓ７８の送信手順及びＳ７６、Ｓ７９の受信手順を省略してもよい。ＲＲＵ２１から通信可能である返信を受信したＲＲＵ２２及びＲＲＵ２３は、ＲＲＵ２１と通信可能である旨をそれぞれに接続されたＢＢＵを経由してＮＷ制御装置４１に通知する（Ｓ７７、Ｓ８０）。
【００７１】
この後、Ｓ８１の前に、ＮＷ制御装置４１がＲＲＵ２１へ、例えばＵＥ３１の回線の経路のリストなどを送信し、ＲＲＵ２１へ、新たな回線で経由するＲＲＵを選択するよう指示してもよい。ＵＥ３１の回線の経路のリストは、例えば、図１６のステップＳ６０及びＳ６３において説明した、通信可能とされたＲＲＵと当該ＲＲＵを用いた場合のＵＥ３１の回線の経路とを対応付けたリストである。ＲＲＵ２１は、このリストに基づいて、経由するＲＲＵを選択し、ＮＷ制御装置４１へ、選択したＲＲＵを通知してもよい。その後、ＮＷ制御装置４１は回線設定手順に入ってもよい。
【００７２】
以降のＳ８１〜Ｓ８５の手順は、ＮＷ制御装置４１による回線設定及びＵＥ３１による回線切替の手順であり、図１６のＳ６４〜Ｓ６８と同様である。すなわち、ＵＥ３１が発した回線切替要求により、回線がＲＲＵ２１、ＲＲＵ２３、ＢＢＵ１１を経由するように再設定される。すなわち、図１７の手順によっても、ＵＥ３１は、ＢＢＵ１１とＲＲＵ２１との間の障害区間を迂回して、ＥＰＣ５０と通信することができる。
【００７３】
以上説明したように、第３の実施形態の通信システム３においては、ＲＲＵ２１とＢＢＵ１１との間の伝送路に障害が発生した場合に、ＲＲＵ２１、ＲＲＵ２２及びＢＢＵ１２を経由するように回線が設定される。さらに、ＵＥ３１からの回線切替指示により、ＲＲＵ２１、ＲＲＵ２３及びＢＢＵ１１を経由するように回線が再設定される。その結果、ＵＥ３１は、通信可能な経路を選択しつつ、障害区間を迂回してＥＰＣ５０と通信を行うことができる。また、図１７の手順では、障害発生を検出したＲＲＵ２１が他のＲＲＵ（ＲＲＵ２２、２３）を検出するので、図１６の手順と比較してより迅速に回線経路を設定できる。
【００７４】
なお、図１７のＳ７３及びＳ７４において、ＲＲＵ２１は、Ｓ７３〜Ｓ８０のＲＲＵの探索と同様の手順により他のＢＢＵ（例えば図１４においてはＢＢＵ１２）を探索してもよい。すなわち、ＢＢＵ２１から通信可能である旨の通知を受けたＲＲＵ２１は、ＲＲＵ２１とＢＢＵ１２とが直接接続可能である旨をＢＢＵ１２経由でＮＷ制御装置４１に通知する。この場合、ＮＷ制御装置４１によって、ＵＥ３１、ＲＲＵ２１、ＢＢＵ１２及びＥＰＣ５０を経由する回線が設定可能となる。ＲＲＵ２１のＢＢＵインタフェース２１１は、無線通信により他のＢＢＵを探索してもよい。
【００７５】
第３の実施形態では、ＵＥ３１が回線切替要求を出力する機能を備える。その結果、図１６のＳ６４又は図１７のＳ８１で設定された回線の品質が悪い場合に、ユーザは、災害発生時などの喫緊な状況においても、ＵＥ３１に複雑な操作を行うことなく、ＮＷ制御装置に対して回線切替を要求することができる。
ＮＷ制御装置４１は、ＲＲＵ２１と通信可能とされたＲＲＵ（本実施形態ではＲＲＵ２２及びＲＲＵ２３）と当該ＲＲＵを用いた場合のＵＥ３１の回線の経路とを対応付けたリストを保持する。ＮＷ制御装置４１は、ＵＥ３１からの回線切替要求を受信すると、リスト内から選択された少なくとも１個のＲＲＵを経由するように、回線を再設定する。
【００７６】
なお、第３の実施形態で説明したＵＥ３１は、以下の特徴を備える端末としても記載できる。すなわち、端末は、無線インタフェース３０１と、表示部３１１と、選択部３２１と、を備える。無線インタフェース３０１は、遠隔無線装置（ＲＲＵ２１）と端末（ＵＥ３１）とを接続する。表示部３１１は、遠隔無線装置（ＲＲＵ２１）から通知された回線の候補の情報を表示する。選択部３２１は、表示部３１１に表示された候補から少なくとも１個の回線を選択する。そして、無線インタフェース３０１は、選択された回線の情報を遠隔無線装置（ＲＲＵ２１）に通知する。
【００７７】
このような構成を備える端末は、表示された候補から選択した回線の情報を遠隔無線装置に通知することで、ＲＲＵとＢＢＵとの間の伝送路に障害が発生した場合でも、選択した回線を用いて通信を行うことを可能とする。
【００７８】
（第４の実施形態）
第４の実施形態について図１８乃至図２２を参照して説明する。図１８は、本発明の第４の実施形態の通信システム４の構成例を示す図である。図１９及び図２０は、通信システム４の障害発生時の回線接続の例を示す図である。
【００７９】
第４の実施形態では、ＲＲＵ２１、２３及び２４がいずれもＢＢＵ１１の配下にある。図１９は、ＢＢＵ１１とＲＲＵ２１との間の伝送路に障害が発生した場合に、ＵＥ３１の回線がＲＲＵ２１、ＲＲＵ２４及びＢＢＵ１１を経由するように変更されることを示す。図２０は、ＵＥ３１の回線がＲＲＵ２１、ＲＲＵ２４及びＢＢＵ１１を経由するように変更された回線が、ＲＲＵ２１、ＲＲＵ２３及びＢＢＵ１１を経由するように再変更されることを示す。以下に、回線の経路の変更について説明する。
【００８０】
初期状態では、ＵＥ３１は、ＲＲＵ２１及びＢＢＵ１１を経由してＥＰＣ５０と接続される（図２１のＳ９１）。ＥＰＣ５０は、ＮＷ制御装置４１を含む。ＢＢＵ１１とＲＲＵ２１との間の伝送路に障害が発生して、ＢＢＵ１１がＲＲＵ２１との間の通信異常を検出すると（Ｓ９２）、ＢＢＵ１１は、ＮＷ制御装置４１に障害発生を通知する（Ｓ９３）。
【００８１】
ＮＷ制御装置４１は、ＢＢＵ１１に、ＲＲＵ２１の探索指示を送信する（Ｓ９４）。ＮＷ制御装置４１は、ＮＷ制御装置４１に接続された複数のＢＢＵに、ＲＲＵ２１の探索指示をブロードキャストあるいはマルチキャストしてもよい。探索指示を受信したＢＢＵ１１は、当該探索指示をＲＲＵ２３及びＲＲＵ２４に転送する（Ｓ９５、Ｓ９６）。
【００８２】
ＲＲＵ２３及び２４は、探索指示を受信すると、それぞれが備えるＲＲＵインタフェースを用いて、ＲＲＵ２１のＲＲＵインタフェース２０１との通信を試みる（Ｓ９７、Ｓ９８）。
【００８３】
ＲＲＵ２１とＲＲＵ２３との通信が可能である場合には、ＲＲＵ２１は、ＲＲＵ２３へ通信可能である旨を返信する（Ｓ９９）。ＲＲＵ２１から通信可能である通知を受信すると、ＲＲＵ２３は、ＢＢＵ１１を経由して、ＮＷ制御装置４１に、ＲＲＵ２１とＲＲＵ２３とが通信可能である旨を通知する（Ｓ１００）。
【００８４】
ＲＲＵ２１とＲＲＵ２４との通信が可能である場合には、ＲＲＵ２１は、ＲＲＵ２４へ通信可能である旨を返信する（Ｓ１０１）。ＲＲＵ２１から通信可能である通知を受信すると、ＲＲＵ２４は、ＢＢＵ１１を経由して、ＮＷ制御装置４１に、ＲＲＵ２１とＲＲＵ２４とが通信可能である旨を通知する（Ｓ１０２）。
【００８５】
以上の手順では、ＮＷ制御装置４１は、ＲＲＵ２３及びＲＲＵ２４の双方から、ＲＲＵ２１との通信が可能である旨の通知を受信する。従って、ＮＷ制御装置４１は、ＲＲＵ２３及び２４のいずれを経由してもＲＲＵ２１と接続できることを知る。ＮＷ制御装置４１は、ＲＲＵ２１と通信可能とされたＲＲＵ（Ｓ１００で通知されたＲＲＵ２３及びＳ１０２で通知されたＲＲＵ２４）と当該ＲＲＵを用いた場合のＵＥ３１の回線の経路とを対応付けたリストを作成して保持する。
【００８６】
ＮＷ制御装置４１は、ＲＲＵ２３及びＲＲＵ２４の現在あるいは過去の通信状況や負荷、もしくは将来予想される負荷に基づいて、ＲＲＵ２１と接続される回線で用いられるＲＲＵを選択してもよい。負荷は、例えば、無線リソースの割り当て能力や消費電力であるが、これらには限定されない。ＮＷ制御装置４１は、それぞれのＲＲＵの過去の通信状況や負荷のデータを記録するために、半導体メモリあるいは磁気ディスク装置などで構成された記録部をさらに備えてもよい。すなわち、ＮＷ制御装置４１の経路制御部４２１は、通信状況に基づいて回線の経路を選択してもよく、ＲＲＵ２３及びＲＲＵ２４のうち、負荷のより低いＲＲＵを選択してもよい。
【００８７】
本実施形態では、Ｓ１０２の後、ＮＷ制御装置４１がＲＲＵ２４を選択して、Ｓ１０３において回線を設定する。ＮＷ制御装置４１は、ＵＥ３１とＥＰＣ５０との間の回線を、ＲＲＵ２１、選択されたＲＲＵ２４及びＢＢＵ１１を経由するように設定する（Ｓ１０３）。その結果、ＵＥ３１は、ＢＢＵ１１とＲＲＵ２１との間の障害区間を迂回して、ＥＰＣ５０と通信することができる（Ｓ１０４）。図１８は、Ｓ１０４までの手順によって再設定された通信システム３の接続状態を示す。
【００８８】
ここで、Ｓ１０４の後、ＵＥ３１が、他の経路の回線への切替を要求する場合について以下に説明する。ＵＥ３１が、他の経路の回線への切替を要求する操作は、第３の実施形態と同様である。すなわち、ＵＥ３１は、表示部３１１及び選択部３２１を用いて回線切替要求が可能であることを示すボタンを表示する。ＵＥ３１のユーザがボタンを操作して回線切替要求の実行をＵＥ３１に指示すると、ＵＥ３１は、回線切替要求をＮＷ制御装置４１に送信する（Ｓ１０５）。ＮＷ制御装置４１は、回線切替要求を受信すると、ＵＥ３１の回線の経路を、ＲＲＵ２１、ＲＲＵ２３及びＢＢＵ１１を経由するように切り替える（Ｓ１０６）。図２０は、Ｓ３７までの手順によって再設定された通信システム４の接続状態を示す。このようにして、回線がＲＲＵ２４経由からＲＲＵ２３経由に変更される（Ｓ１０７）。このとき、ＲＲＵ２１におけるＲＲＵ制御部２３１は、変更された先の経路を通る回線を確立するように、動作する。その結果、ＵＥ３１による回線切替後も、ＵＥ３１は、ＢＢＵ１１とＲＲＵ２１との間の障害区間を迂回して、ＥＰＣ５０と通信することができる。図２０は、Ｓ１０７までの手順によって再設定された通信システム３の接続状態を示す。
【００８９】
（第４の実施形態の動作の変形例）
図２２は、通信システム４の障害発生時の動作手順の変形例を示す図である。図１８〜２０及び図２１を参照して、通信システム４の障害発生時の動作手順の変形例を説明する。本変形例では、ＲＲＵ２１が、ＲＲＵ２３及びＲＲＵ２４を探索する。
【００９０】
初期状態では、ＵＥ３１は、図２１と同様に、ＲＲＵ２１及びＢＢＵ１１を経由してＥＰＣ５０と接続される（図２２のＳ１１１）。ＢＢＵ１１とＲＲＵ２１との間の伝送路に障害が発生して、ＢＢＵ１１がＲＲＵ２１との間の通信異常を検出すると（Ｓ１１２）、ＲＲＵ２１は、探索信号をＲＲＵ２３及びＲＲＵ２４に転送する（Ｓ１１３、Ｓ１１４）。ＲＲＵ２１が送信する探索信号は、送信元のＲＲＵ２１と通信可能なＲＲＵを探索する信号であり、探索信号の受信者が送信元に返信するための情報を含む。ＲＲＵ２１は、探索信号をブロードキャストしてもよい。ＲＲＵ２３及びＲＲＵ２４は、ＲＲＵ２１から探索信号を受信すると、ＲＲＵ２１との通信を試みる（Ｓ１１５、Ｓ１１６）。ＲＲＵ２３及びＲＲＵ２４から、探索信号に対する返信を受信したＲＲＵ２１は、ＲＲＵ２３及びＲＲＵ２４と通信可能である旨をそれぞれへ返信する（Ｓ１１７、Ｓ１１８）。ここで、ＲＲＵ２１、ＲＲＵ２３及びＲＲＵ２４は、図２で説明したＲＲＵインタフェース２０１を用いて、対向するＲＲＵのＲＲＵインタフェース２０１との通信を試みる。なお、Ｓ１１３及びＳ１１４において、ＲＲＵ２１から受信した探索信号の品質が充分に高い場合は、ＲＲＵ２３及びＲＲＵ２４は、ＲＲＵ２１と通信可能であると判断し、Ｓ１１５、Ｓ１１６の送信手順及びＳ１１７、Ｓ１１８の受信手順を省略してもよい。ＲＲＵ２３及びＲＲＵ２４は、ＲＲＵ２１を経由してＥＰＣ５０と通信可能である旨をＮＷ制御装置４１に通知する（Ｓ１１９〜Ｓ１２１）。
【００９１】
Ｓ１２１の後、ＮＷ制御装置４１が、ＲＲＵ２４を選択して回線を設定する場合について説明する。ＮＷ制御装置４１は、ＵＥ３１とＥＰＣ５０との間の回線を、ＲＲＵ２１、ＲＲＵ２４及びＢＢＵ１１を経由するように設定する（Ｓ１２２）。その結果、ＵＥ３１は、ＢＢＵ１１とＲＲＵ２１との間の障害区間を迂回して、ＥＰＣ５０と通信することができる（Ｓ１２３）。
【００９２】
以降のＳ１２４〜Ｓ１２６の手順は、ＵＥ３１による回線切替の手順であり、図２１のＳ１０５〜Ｓ１０７と同様である。すなわち、ＵＥ３１が発した回線切替要求により、回線がＲＲＵ２１、ＲＲＵ２４、ＢＢＵ１１を経由するように再設定される。このように、図２２の手順によっても、ＵＥ３１は、ＢＢＵ１１とＲＲＵ２１との間の障害区間を迂回して、ＥＰＣ５０と通信することができる。
【００９３】
以上説明したように、第４の実施形態の通信システム３においては、図２１又は図２２の手順により、ＲＲＵ２１とＢＢＵ１１との間の伝送路に障害が発生した場合に、ＲＲＵ２１、ＲＲＵ２４及びＢＢＵ１２を経由するように回線が設定される。さらに、ＵＥ３１からの回線切替指示により、ＲＲＵ２１、ＲＲＵ２３及びＢＢＵ１１を経由するように回線が再設定される。その結果、ＵＥ３１は、通信可能な経路を選択しつつ、障害区間を迂回してＥＰＣ５０と通信を行うことができる。また、図２２の手順では、障害発生を検出したＲＲＵ２１が他のＲＲＵ（ＲＲＵ２３、２４）を検出するので、図２１の手順と比較してより迅速に回線経路を設定できる。
【００９４】
なお、図２２のＳ１１３及びＳ１１４において、ＲＲＵ２１は、ＢＢＵ１１以外の他のＢＢＵ（例えば図１９におけるＢＢＵ１２）を探索してもよい。この場合、ＲＲＵ２１のＢＢＵインタフェース２１１は、無線通信により他のＢＢＵを探索してもよい。ＲＲＵ２１は、ＲＲＵ２１とＢＢＵ１２とが直接接続可能である旨をＢＢＵ１２経由でＮＷ制御装置４１に通知する。この場合、ＵＥ３１、ＲＲＵ２１、ＢＢＵ１２及びＥＰＣ５０を経由する回線が設定可能となる。
【００９５】
第４の実施形態では、ＵＥ３１による回線切替機能を備えることにより、第３の実施形態と同様に、ユーザは、災害救助等の喫緊な状況においても複雑な操作を行うことなく、回線切替を要求することができる。
【００９６】
例えば、各実施形態では、ＮＷ制御装置４１は、ＥＰＣ５０の内部にあるとした。しかし、ＮＷ制御装置４１は、一部あるいは全部のＲＲＵに備えられてもよいし、一部あるいは全部のＢＢＵに備えられていてもよい。
【００９７】
ＲＲＵ又はＢＢＵは、図４に示したＮＷ制御装置４１の経路制御部４２１の機能を備え、ＲＲＵ又はＢＢＵが備えるインタフェースを併せて用いることにより、ＮＷ制御装置４１としての機能を実現してもよい。
【００９８】
図１において、ＢＢＵ１１との切断を検出したＲＲＵ２１は、同一のＢＢＵ１１へ、他の通信手段で再接続してもよい。例えば、ＢＢＵ１１とＲＲＵ２１との間の有線接続が切断された場合に、無線接続によりＢＢＵ１１とＲＲＵ２１との間を再接続してもよい。ＢＢＵ１１とＲＲＵ２１との間の無線接続が切断された場合に、有線接続によりＢＢＵ１１とＲＲＵ２１との間を再接続してもよい。
【００９９】
また、例えば第２乃至第４の実施形態のように、ＢＢＵ１１との切断を検出したＲＲＵ２１が複数のＲＲＵと通信可能である場合、ＲＲＵ２１は他のＲＲＵから負荷状況の情報を取得し、低負荷のＲＲＵを選択してもよい。あるいは、ＲＲＵ２１は、近くのＲＲＵ又は受信信号の強いＲＲＵを選択してもよい。
【０１００】
第３及び第４の実施形態では、ＲＲＵの選択（ＲＲＵ２２〜２４）及び選択されたＲＲＵを経由する回線の設定はＮＷ制御装置４１が行うこととした。しかし、ＲＲＵ２１は通信可能なＲＲＵの情報を知ることができるため、ＲＲＵ２１がＲＲＵの選択及び回線設定を行い、その結果をＮＷ制御装置に通知してもよい。
【０１０１】
各実施形態では、ＢＢＵ１１又はＢＢＵ１２とＲＲＵ２１との間に配されるＲＲＵは、１台のみ（ＲＲＵ２２〜２４のいずれか）であった。しかし、例えば、障害区間を迂回するために、ＲＲＵ２１はさらに複数のＲＲＵを経由してＢＢＵと接続されてもよい。すなわち、ＲＲＵは、少なくとも１台のＲＲＵを経由して、障害区間を迂回する回線を確立してもよい。このようなＲＲＵの構成を実現するために、各ＲＲＵは、他のＲＲＵを介して接続可能なＲＲＵのリストを作成して記録してもよい。
【０１０２】
ＵＥ３１は、ユーザに携帯される移動端末に限られない。ＵＥ３１として、街に設置されるカメラやセンサーが用いられてもよい。例えば、多数のカメラが同時に画像データを通信システム内に送信すると、カメラが接続されたＲＲＵ及びＢＢＵの通信量が増大する。このような通信量の増大によってＲＲＵとＢＢＵとの間の回線が輻輳するような場合でも、上述して実施形態の構成により、カメラが出力する画像データを、輻輳箇所を迂回した回線によってＥＰＣに送信できる。その結果、カメラの配置位置の自由度が増大する。
【０１０３】
以上の各実施形態では、本発明がＬＴＥシステムに適用された場合について説明した。しかし、本発明が適用されるネットワークはＬＴＥシステムに限定されない。例えば、本発明は、ＷＣＤＭＡ(登録商標)（Wideband Code Division Multiple Access）方式のシステムや、さらに他の方式の通信システムにも適用できる。
【０１０４】
なお、本発明の実施形態は以下の付記のようにも記載されうるが、これらには限定されない。
【０１０５】
（付記１）
第１のベースバンドユニット（ＢＢＵ）と接続するためのＢＢＵインタフェースと、
他の遠隔無線装置（ＲＲＵ）と接続するＲＲＵインタフェースと、
端末（ＵＥ）と接続するＵＥインタフェースと、
前記第１のベースバンドユニットとの間の第１の回線の通信障害が生じた後に、他の遠隔無線装置を経由する、第２のベースバンドユニットとの間の第２の回線を確立するＲＲＵ制御部と、
を備える遠隔無線装置。
【０１０６】
（付記２）
前記第２のベースバンドユニットは前記第１のベースバンドユニットと同一のベースバンドユニットである、付記１に記載された遠隔無線装置。
【０１０７】
（付記３）
前記第２のベースバンドユニットは前記第１のベースバンドユニットとは異なるベースバンドユニットである、付記１に記載された遠隔無線装置。
【０１０８】
（付記４）
前記ＲＲＵインタフェースが複数の前記他の遠隔無線装置との接続が可能である場合に、前記ＲＲＵ制御部は、前記複数の前記他の遠隔無線装置から選択された前記他の少なくとも１台の遠隔無線装置を経由して前記第２の回線を確立する、付記１乃至３のいずれかに記載された遠隔無線装置。
【０１０９】
（付記５）
前記ＲＲＵ制御部は、前記他の遠隔無線装置を、ネットワーク制御装置からの指示に基づいて選択する、付記４に記載された遠隔無線装置。
【０１１０】
（付記６）
前記ＵＥインタフェースは、前記第２の回線の候補となる少なくとも１個の経路の情報を前記端末に通知し、前記経路の情報から選択された経路の情報を前記端末から受信し、
前記ＲＲＵ制御部は、前記他の遠隔無線装置を、前記選択された経路の情報に基づいて選択する、付記４に記載された遠隔無線装置。
【０１１１】
（付記７）
ベースバンドユニットと接続するＢＢＵインタフェースと、
前記ベースバンドユニットと前記ベースバンドユニットに接続された遠隔無線装置との間の第１の回線の通信障害が生じた後に、他の遠隔無線装置を経由する第２の回線を探索する指示を送信する経路制御部と、を備えるネットワーク制御装置。
【０１１２】
（付記８）
前記遠隔無線装置が複数の前記他の遠隔無線装置との接続が可能である場合に、前記経路制御部は、前記第２の回線の候補となる複数の経路を算出する、付記７に記載されたネットワーク制御装置。
【０１１３】
（付記９）
前記経路制御部は、前記複数の経路から少なくとも１個の経路を選択し、前記選択された経路に基づいて前記第２の回線を設定するように前記遠隔無線装置へ指示する、付記８に記載されたネットワーク制御装置。
【０１１４】
（付記１０）
前記遠隔無線装置のそれぞれの過去の通信状況を記録した記録部をさらに備え、
前記経路制御部は、前記通信状況に基づいて前記経路を選択する、付記９に記載されたネットワーク制御装置。
【０１１５】
（付記１１）
前記経路制御部は、前記第２の回線の候補のいずれかを経由して、前記第２の回線の候補となる複数の経路を前記遠隔無線装置に送信する、付記８乃至１０のいずれかに記載されたネットワーク制御装置。
【０１１６】
（付記１２）
遠隔無線装置と接続する無線インタフェースと、
前記遠隔無線装置から、回線の候補の情報を受信し、前記情報を表示する表示部と、
前記表示部に表示された前記候補から少なくとも１個の回線を選択する選択部と、
を備え、前記無線インタフェースは、前記選択された回線の情報を前記遠隔無線装置に通知する、端末。
【０１１７】
（付記１３）
前記遠隔無線装置は、前記遠隔無線装置と接続されたベースバンドユニットとの間において、回線の通信障害が発生した遠隔無線装置であり、
前記選択した回線は、前記遠隔無線装置が接続する他の遠隔無線装置を経由する、付記１２に記載の端末。
【０１１８】
（付記１４）
付記１乃至６のいずれかに記載された遠隔無線装置と、
付記７乃至１１のいずれかに記載されたネットワーク制御装置と、
前記遠隔無線装置に接続される付記１２又は１３に記載された端末と、
前記端末と前記ネットワーク制御装置とが通信可能なように接続されるベースバンドユニットと、
を備える通信システム。
【０１１９】
（付記１５）
前記ネットワーク制御装置はＥＰＣ（Evolved Packet Core）に含まれる、付記１４に記載された通信システム。
【０１２０】
（付記１６）
前記ネットワーク制御装置が備える前記経路制御部が前記遠隔無線装置に備えられる、付記１４に記載された通信システム。
【０１２１】
（付記１７）
前記ネットワーク制御装置が備える前記経路制御部が前記ベースバンドユニットに備えられる、付記１４に記載された通信システム。
【０１２２】
（付記１８）
自遠隔無線装置に接続された第１のベースバンドユニットとの間の第１の回線の通信障害が生じた後に、他の遠隔無線装置を経由する、第２のベースバンドユニットとの間の第２の回線を確立する、
を遠隔無線装置の制御方法。
【０１２３】
（付記１９）
ベースバンドユニットと前記ベースバンドユニットに接続された遠隔無線装置との間の第１の回線の通信障害が生じた後に、他の遠隔無線装置を経由する第２の回線を探索する指示を送信する、ネットワーク制御装置の制御方法。
【０１２４】
（付記２０）
遠隔無線装置から回線の候補の情報を受信し、
前記情報を表示し、
表示された前記情報から少なくとも１個の回線を選択し、
選択された前記回線の情報を前記遠隔無線装置に通知する、
端末の制御方法。
【０１２５】
（付記２１）
遠隔無線装置のコンピュータに、
他の遠隔無線装置を経由して、前記第２のベースバンドユニットとの間の第２の回線を確立する手順、
自遠隔無線装置に接続された第１のベースバンドユニットとの間の第１の回線の通信障害が生じた後に、他の遠隔無線装置を経由する、第２のベースバンドユニットとの間の第２の回線を確立する手順、
を実行させるための遠隔無線装置の制御プログラム。
【０１２６】
（付記２２）
ネットワーク制御装置のコンピュータに、
他の遠隔無線装置を経由する第２の回線を確立する指示を、前記遠隔無線装置に送信する手順、
ベースバンドユニットと前記ベースバンドユニットに接続された遠隔無線装置との間の第１の回線の通信障害が生じた後に、他の遠隔無線装置を経由する第２の回線を探索する指示を送信する手順、
を実行させるためのネットワーク制御装置の制御プログラム。
（付記２３）
端末のコンピュータに、
遠隔無線装置から回線の候補の情報を受信する手順、
前記情報を表示する手順、
表示された前記情報から少なくとも１個の回線を選択する手順、
選択された前記回線の情報を前記遠隔無線装置に通知する手順、
を実行させるための端末の制御プログラム。
【０１２７】
以上、実施形態を参照して本発明を説明したが、本発明は上記の実施形態に限定されない。本発明の構成や詳細には、本発明のスコープ内で当業者が理解し得るさまざまな変更をすることができる。また、各実施形態の構成要素は、矛盾がない限り組み合わせることができる。
【符号の説明】
【０１２８】
１、２、３、４    通信システム
１１、１２    ＢＢＵ
２１、２２、２３、２４    ＲＲＵ
３１    ＵＥ
４１    ＮＷ制御装置
５０    ＥＰＣ
１０１    ＲＲＵインタフェース
１１１    ＮＷインタフェース
１２１    ＢＢＵ制御部
１３１    ＢＢＵ制御部
２０１    ＲＲＵインタフェース
２１１    ＢＢＵインタフェース
２２１    ＵＥインタフェース
２３１    ＲＲＵ制御部
３０１    無線インタフェース
３１１    表示部
３２１    選択部
４０１    ＢＢＵインタフェース
４１１    ＣＮインタフェース
４２１    経路制御部
【図１】
2017168890.tif 000003
【図２】
2017168890.tif 000004
【図３】
2017168890.tif 000005
【図４】
2017168890.tif 000006
【図５】
2017168890.tif 000007
【図６】
2017168890.tif 000008
【図７】
2017168890.tif 000009
【図８】
2017168890.tif 000010
【図９】
2017168890.tif 000011
【図１０】
2017168890.tif 000012
【図１１】
2017168890.tif 000013
【図１２】
2017168890.tif 000014
【図１３】
2017168890.tif 000015
【図１４】
2017168890.tif 000016
【図１５】
2017168890.tif 000017
【図１６】
2017168890.tif 000018
【図１７】
2017168890.tif 000019
【図１８】
2017168890.tif 000020
【図１９】
2017168890.tif 000021
【図２０】
2017168890.tif 000022
【図２１】
2017168890.tif 000023
【図２２】
2017168890.tif 000024